(57)【要約】【課題】  広画角、小型軽量で全ズーム範囲に渡り高い光学性能を有するズームレンズ及びそれを有する撮像装置を提供する。【解決手段】  物体側から像側へ順に、正の屈折力の第１レンズ群、負の屈折力の第２レンズ群、負の屈折力の第３レンズ群、１群以上のレンズ群を含む中群、１群以上のレンズ群を含む最終レンズ群を有し、開口絞りは前記最終レンズ群の物体側または前記最終レンズ群の中に配置され、前記第１レンズ群は変倍のためには移動せず、前記第２レンズ群は変倍に際して移動し、前記第３レンズ群は変倍に際して移動し、前記中群は変倍に際して移動し、前記最終レンズ群の最も物体側のレンズ群は変倍のためには移動せず、変倍に際して隣接するレンズ群の間隔が変化するように構成され、広角端および望遠端における前記第２レンズ群と前記第３レンズ群の間隔、ズーム中間における前記第２レンズ群と前記第３レンズ群の間隔を適切に設定する。【選択図】  図１
2018128572.tif 000002
【特許請求の範囲】
【請求項１】
物体側から像側へ順に、正の屈折力の第１レンズ群、負の屈折力の第２レンズ群、負の屈折力の第３レンズ群、１群以上のレンズ群を含む中群、１群以上のレンズ群を含む最終レンズ群を有し、
開口絞りは前記最終レンズ群の物体側または前記最終レンズ群の中に配置され、
前記第１レンズ群は変倍のためには移動せず、前記第２レンズ群は変倍に際して移動し、前記第３レンズ群は変倍に際して移動し、前記中群は変倍に際して移動し、前記最終レンズ群の最も物体側のレンズ群は変倍のためには移動せず、変倍に際して隣接するレンズ群の間隔が変化するように構成されており、
広角端における全系の焦点距離をｆｗ、ズーム比をＺ、広角端および望遠端における前記第２レンズ群と前記第３レンズ群の間隔をそれぞれＬ２ｗ、Ｌ２ｔ、焦点距離ｆｔｍ１、ｆｔｍ２を
ｆｔｍ１＝ｆｗ×Ｚ0.7
ｆｔｍ２＝ｆｗ×Ｚ0.9
とするとき、前記焦点距離ｆｔｍ１からｆｔｍ２までのズーム範囲のうち、前記第２レンズ群と前記第３レンズ群の間隔が最大となる間隔をＬ２ｍａｘとするとき、
１．３＜Ｌ２ｍａｘ／Ｌ２ｗ＜３．０
０．８＜Ｌ２ｍａｘ／Ｌ２ｔ＜４．０
を満たすことを特徴とするズームレンズ。
【請求項２】
前記最終レンズ群は２枚以上の凸レンズと１枚以上の凹レンズを有し、前記最終レンズ群は変倍のためには移動しないことを特徴とする請求項１に記載のズームレンズ。
【請求項３】
前記最終レンズ群は２枚以上の凸レンズと１枚以上の凹レンズを有し、前記最終レンズ群の一部のレンズ群ＬＲＲは変倍に際して移動し、前記レンズ群ＬＲＲのズーム全域における最大移動量および最も物体側の面から像側の面までの距離をそれぞれｍｒｒ、ｄｒｒとしたとき、
｜ｍｒｒ／ｄｒｒ｜＜０．１
を満たすことを特徴とする請求項１に記載のズームレンズ。
【請求項４】
前記第１レンズ群、前記第２レンズ群、前記第３レンズ群の焦点距離をそれぞれｆ１、ｆ２、ｆ３としたとき、
−１０．０＜ｆ１×（ｆ２＋ｆ３）／（ｆ２×ｆ３）＜−２．０
を満たすことを特徴とする請求項１乃至３のいずれか１項に記載のズームレンズ。
【請求項５】
前記第２レンズ群、前記第３レンズ群の焦点距離をそれぞれｆ２、ｆ３としたとき、
０．１＜ｆ２／ｆ３＜１０．０
を満たすことを特徴とする請求項１乃至４のいずれか１項に記載のズームレンズ。
【請求項６】
１枚以上の凸レンズと２枚以上の凹レンズによって前記第２レンズ群と前記第３レンズ群が構成されることを特徴とする請求項１乃至５のいずれか１項に記載のズームレンズ。
【請求項７】
前記第２レンズ群または前記第３レンズ群に１面以上の非球面を有することを特徴とする請求項１乃至６のいずれか１項に記載のズームレンズ。
【請求項８】
前記第２レンズ群の最も像側の面の曲率半径をＲ２、前記第３レンズ群の最も物体側の面の曲率半径をＲ３としたとき、
−２＜（Ｒ２＋Ｒ３）／（Ｒ２−Ｒ３）＜３０
を満たすことを特徴とする請求項１乃至７のいずれか１項に記載のズームレンズ。
【請求項９】
請求項１乃至８のいずれか１項に記載のズームレンズと前記ズームレンズによって形成された像を受光する固体撮像素子を有することを特徴とする撮像装置。
【発明の詳細な説明】
【技術分野】
【０００１】
本発明は、ズームレンズ及びそれを有する撮像装置に関し、特に放送用テレビカメラ、映画用カメラ、デジタルスチルカメラ、銀塩写真用カメラ等に好適なものである。
【背景技術】
【０００２】
近年、テレビカメラや映画用カメラ、写真用カメラ等の撮像装置には、広画角、高ズーム比かつ高い光学性能を有したズームレンズが要望されている。特に、プロフェッショナルの動画撮影システムとしてのテレビ、映画用カメラに用いられているＣＣＤやＣＭＯＳ等の撮像デバイスは、撮像範囲全体が略均一の解像力を有している。そのため、これを用いるズームレンズに対しては、画面中心から画面周辺まで解像力が略均一であることが要求されている。
【０００３】
広画角、高ズーム比のズームレンズとして、物体側から順に正の屈折力の第１レンズ群、変倍用の負の屈折力の第２レンズ群を配置したポジティブリード型のズームレンズが知られている。例えば、特許文献１、特許文献２では、物体側から順に正の屈折力の第１レンズ群、負の屈折力の第２レンズ群、第３レンズ群、第４レンズ群、正の屈折力の第５レンズ群から構成され、変倍に際して３つのレンズ群が移動するズームレンズが開示されている。特許文献２では、第２レンズ群と第３レンズ群の間隔が常に広がるように各レンズ群が移動している。
【先行技術文献】
【特許文献】
【０００４】
【特許文献１】特開２０１５−１６１６９３号公報
【特許文献２】国際公開２０１３／３１２０３号
【発明の概要】
【発明が解決しようとする課題】
【０００５】
前述した構成のポジティブリード型のズームレンズにおいて、高い光学性能と小型化を両立するためには、レンズの屈折力配置および各レンズ群の移動軌跡を適切に設定することが重要である。更なる広画角化、高倍率と小型化を両立しようとした場合、特にズーム中間（ｆｗ×Ｚ0.7 ）から望遠端の焦点距離範囲における諸収差が増加し、画面周辺における性能劣化が大きくなる。
【０００６】
しかしながら、特許文献１に開示されているズームレンズでは、広角端に対してズーム中間の第２レンズ群と第３レンズの間隔変化が小さく、ズーム中間において効果的な収差補正が図られていない。また、特許文献２に開示されているズームレンズでは、諸収差が増大するズーム中間（ｆｗ×Ｚ0.7 ）から望遠端の焦点距離範囲における各移動群の移動軌跡を開示しておらず効果的な収差補正が図られていない。
【０００７】
そこで、本発明は、第２レンズ群および第３レンズ群の移動軌跡や各レンズ群の屈折力を適切に設定することで、広画角、高ズーム比、小型軽量で全ズーム範囲に渡り高い光学性能を有したズームレンズの提供を目的とする。具体的には、広角端の画角５０〜７０度程度、望遠端の画角０．５度〜５度程度、変倍比１５〜１００程度の小型軽量で、高い光学性能を有したズームレンズの提供を目的とする。
【課題を解決するための手段】
【０００８】
上記目的を達成するために、本発明のズームレンズ及びそれを有する撮像装置は、物体側から像側へ順に、正の屈折力の第１レンズ群、負の屈折力の第２レンズ群、負の屈折力の第３レンズ群、１群以上のレンズ群を含む中群、１群以上のレンズ群を含む最終レンズ群を有し、開口絞りは前記最終レンズ群の物体側または前記最終レンズ群の中に配置され、前記第１レンズ群は変倍のためには移動せず、前記第２レンズ群は変倍に際して移動し、前記第３レンズ群は変倍に際して移動し、前記中群は変倍に際して移動し、前記最終レンズ群の最も物体側のレンズ群は変倍のためには移動せず、変倍に際して隣接するレンズ群の間隔が変化するように構成されており、広角端における全系の焦点距離をｆｗ、ズーム比をＺ、広角端および望遠端における前記第２レンズ群と前記第３レンズ群の間隔をそれぞれＬ２ｗ、Ｌ２ｔ、焦点距離ｆｔｍ１、ｆｔｍ２を
ｆｔｍ１＝ｆｗ×Ｚ0.7 
ｆｔｍ２＝ｆｗ×Ｚ0.9 
とするとき、前記焦点距離ｆｔｍ１からｆｔｍ２までのズーム範囲のうち、前記第２レンズ群と前記第３レンズ群の間隔が最大となる間隔をＬ２ｍａｘとするとき、
１．３＜Ｌ２ｍａｘ／Ｌ２ｗ＜３．０
０．８＜Ｌ２ｍａｘ／Ｌ２ｔ＜４．０
を満たすことを特徴とする。
【発明の効果】
【０００９】
第２レンズ群および第３レンズ群の移動軌跡や各レンズ群の屈折力を適切に設定することで、広画角、高ズーム比、小型軽量で全ズーム範囲に渡り高い光学性能を有したズームレンズが得られる。
【図面の簡単な説明】
【００１０】
【図１】数値実施例１の広角端において無限遠合焦時のレンズ断面図
【図２】数値実施例１の広角端（ａ）、ｆ＝１４５．５ｍｍ（ｂ）、ｆ＝３０４．３ｍｍ（ｃ）、望遠端（ｄ）で無限遠合焦時の収差図
【図３】数値実施例２の広角端において無限遠合焦時のレンズ断面図
【図４】数値実施例２の広角端（ａ）、ｆ＝１４５．５ｍｍ（ｂ）、ｆ＝３０４．３ｍｍ（ｃ）、望遠端（ｄ）で無限遠合焦時の収差図
【図５】数値実施例３の広角端において無限遠合焦時のレンズ断面図
【図６】数値実施例３の広角端（ａ）、ｆ＝１４５．５ｍｍ（ｂ）、ｆ＝３０４．３ｍｍ（ｃ）、望遠端（ｄ）で無限遠合焦時の収差図
【図７】数値実施例４の広角端において無限遠合焦時のレンズ断面図
【図８Ａ】数値実施例４の広角端（ａ）、ｆ＝１４５．５ｍｍ（ｂ）、ｆ＝２００．５ｍｍ（ｃ）、ｆ＝３０４．３ｍｍ（ｄ）で無限遠合焦時の収差図
【図８Ｂ】数値実施例４の望遠端（ｅ）で無限遠合焦時の収差図
【図９】数値実施例５の広角端において無限遠合焦時のレンズ断面図
【図１０】数値実施例５の広角端（ａ）、ｆ＝５８．１ｍｍ（ｂ）、ｆ＝１０２．４ｍｍ（ｃ）、望遠端（ｄ）で無限遠合焦時の収差図
【図１１】数値実施例６の広角端において無限遠合焦時のレンズ断面図
【図１２】数値実施例６の広角端（ａ）、ｆ＝２３３．６（ｂ）、ｆ＝５８６．８ｍｍ、望遠端（ｄ）で無限遠合焦時の収差図
【図１３】数値実施例１のズームレンズの広角端（ａ）、ｆ＝１４５．５ｍｍ（ｂ）、望遠端（ｃ）における光路図
【図１４】本発明の撮像装置の要部概略図
【発明を実施するための形態】
【００１１】
以下に、本発明の好ましい実施の形態を、添付の図面に基づいて詳細に説明する。
まず、本発明のズームレンズの特徴について、各条件式に沿って説明する。本発明のズームレンズは、広画角、高ズーム比、小型軽量で全ズーム範囲に渡り高い光学性能を達成したズームレンズを達成するために、第２レンズ群および第３レンズ群の移動軌跡を規定している。
【００１２】
本発明のズームレンズ及びそれを有する撮像装置は、物体側から像側へ順に、正の屈折力の第１レンズ群、負の屈折力の第２レンズ群、負の屈折力の第３レンズ群、１群以上のレンズ群を含む中群、１群以上のレンズ群を含む最終レンズ群を有している。また、開口絞りは最終レンズ群の物体側または最終レンズ群の中に配置される。第１レンズ群は変倍のためには移動せず、第２レンズ群は変倍に際して移動し、第３レンズ群は変倍に際して移動し、中群は変倍に際して移動する。最終レンズ群の最も物体側のレンズ群は変倍のためには移動しない。なお、最終レンズ群が一つのレンズ群で構成される場合は、最終レンズは変倍のためには移動しないことを意味し、最終レンズが複数のレンズ群で構成される場合は、最終レンズ群の最も物体側のレンズ群は変倍のためには移動しないことを意味している。さらに、変倍に際して、隣接するレンズ群の間隔が変化するように構成されている。
【００１３】
広角端における全系の焦点距離をｆｗ、ズーム比をＺ、広角端および望遠端における第２レンズ群と第３レンズ群の間隔をそれぞれＬ２ｗ、Ｌ２ｔ、焦点距離ｆｔｍ１、ｆｔｍ２を
ｆｔｍ１＝ｆｗ×Ｚ0.7   ・・・（ａ）
ｆｔｍ２＝ｆｗ×Ｚ0.9   ・・・（ｂ）
とするとき、焦点距離ｆｔｍ１からｆｔｍ２までのズーム範囲のうち、第２レンズ群と第３レンズ群の間隔が最大となる間隔をＬ２ｍａｘとするとき、
１．３＜Ｌ２ｍａｘ／Ｌ２ｗ＜３．０  ・・・（１）
０．８＜Ｌ２ｍａｘ／Ｌ２ｔ＜４．０  ・・・（２）
を満たしている。
【００１４】
図１３は、本発明の実施例１の広角端（ａ）、ｆ＝１４５．５ｍｍ（ｆｗ×Ｚ0.7 ）（ｂ）、望遠端（ｃ）における光路図を示している。Ｌ１〜Ｌ５は、それぞれ第１レンズ群〜第５レンズ群を表している。本発明において、第２レンズ群と第３レンズ群の間隔を広角端に対してズーム中間（ｆｗ×Ｚ0.7 〜ｆｗ×Ｚ0.9 ）で広げ、望遠端に対してズーム中間で所定の間隔となるように第２レンズ群と第３レンズ群の移動軌跡を設定している。この光学的作用に関して説明する。
【００１５】
ポジティブリード型のズームレンズでは、特にズーム中間（ｆｗ×Ｚ0.7 〜ｆｗ×Ｚ0.9 ）の範囲で、第１レンズ群を通過する軸外光線の主光線の光線高が低くなり始めるため、像面湾曲がオーバー（像側）方向に発生し易い。図１３からわかるように、第３レンズ群を第２レンズ群から像側に離すことで、第３レンズ群を通過する軸外光線の光線高が低くなり、第３レンズ群で発生しているオーバー方向の像面湾曲が抑制される。そのため、ズーム中間で発生し易いオーバー方向の像面湾曲を良好に補正することが可能となる。
【００１６】
（１）、（２）式は、ズーム中間（ｆｗ×Ｚ0.7 〜ｆｗ×Ｚ0.9 ）における第２レンズ群と第３レンズ群の間隔を規定している。（１）式を満たすことで、ズーム中間の像面湾曲を良好に補正し、ズーム全域で高い光学性能を達成している。（１）式の上限が満たされないと、ズーム中間において第２レンズ群と第３レンズ群の間隔が大きくなり過ぎ、ズーム中間における軸上色収差の補正が困難となる。（１）式の下限が満たされないと、第２レンズ群と第３レンズ群の間隔が広角端に対してズーム中間で十分に広がらないため、上記の像面湾曲の補正効果が小さくなり、ズーム全域で高い光学性能を達成することが困難となる。
【００１７】
また、（２）式を満たすことで、ズームレンズの小型化と高い光学性能を両立している。（２）式の上限が満たされないと、ズーム中間において第２レンズ群と第３レンズ群の間隔が大きくなり過ぎ、ズーム中間における軸上色収差の補正が困難となる。（２）式の下限が満たされないと、ズーム中間に対して望遠端における第２レンズ群と第３レンズ群の間隔が大きくなり過ぎる。そのため、第２レンズ群と第３レンズ群の合成焦点距離が短くなり、第２移動群と第３移動群の変倍分担が小さくなる。その結果、ズーム比が小さくなり、ズームレンズの小型化が困難となる。更に好ましくは、（１）、（２）式は次の如く設定するのが良い。
１．３２＜Ｌ２ｍａｘ／Ｌ２ｗ＜２．２０  ・・・（１ａ）
０．９＜Ｌ２ｍａｘ／Ｌ２ｔ＜３．０  ・・・（２ａ）
【００１８】
更なる本発明のズームレンズの態様として、最終レンズ群は２枚以上の凸レンズと１枚以上の凹レンズを有し、最終レンズ群は変倍時に固定であることを特徴とする。
【００１９】
更なる本発明のズームレンズの態様として、最終レンズ群は２枚以上の凸レンズと１枚以上の凹レンズを有する。最終レンズ群の一部のレンズ群ＬＲＲは変倍時に移動し、レンズ群ＬＲＲのズーム全域における最大移動量および最も物体側の面から像側の面までの距離をそれぞれｍｒｒ、ｄｒｒとしたとき、
｜ｍｒｒ／ｄｒｒ｜＜０．１  ・・・（３）
を満たしている。（３）式を満たす範囲で、レンズ群ＬＲＲを変倍時に移動させることで、軸外収差を補正しても良い。また、変倍操作に連動してＬＲＲ群を移動させることで、変倍中に発生するピントズレを補正しても良い。
【００２０】
更なる本発明のズームレンズの態様として、第１レンズ群、第２レンズ群、第３レンズ群の焦点距離をそれぞれｆ１、ｆ２、ｆ３としたとき、
−１０．０＜ｆ１×（ｆ２＋ｆ３）／（ｆ２×ｆ３）＜−２．０  ・・・（４）
を満たしている。（ｆ２×ｆ３）／（ｆ２＋ｆ３）は第２レンズ群と第３レンズ群の合成焦点距離に相当する数値である。（４）式を満たすことで、ズームレンズの小型化と高い光学性能の両立を達成している。（４）式の上限が満たされないと、第１レンズ群の屈折力が第２レンズ群の屈折力に対して相対的に強くなるため、広角端の歪曲収差や望遠端の軸上色収差の補正が困難となる。（４）式の下限が満たされないと、第１レンズ群の屈折力が第２レンズ群の屈折力に対して相対的に弱くなるため、特に第１レンズ群が大型化し、ズームレンズの小型化が困難となる。更に好ましくは、（４）式は次の如く設定するのが良い。
−８．５＜ｆ１×（ｆ２＋ｆ３）／（ｆ２×ｆ３）＜−３．５  ・・・（４ａ）
【００２１】
更なる本発明のズームレンズの態様として、第２レンズ群、第３レンズ群の焦点距離をそれぞれｆ２、ｆ３としたとき、
０．１＜ｆ２／ｆ３＜１０．０  ・・・（５）
を満たしている。（５）式の上限が満たされないと、第３レンズ群の屈折力が第２レンズ群の屈折力に対して強くなるため、望遠端において第３レンズ群の製造誤差による敏感度が増大する。特に、像面湾曲やコマ収差の発生量が増加し、製造性が悪化する。（５）式の下限が満たされないと、第２レンズ群の屈折力が第３レンズ群の屈折力に対して強くなるため、第２レンズ群で発生する収差が増大し、ズーム全域で高い光学性能を達成することが困難となる。更に好ましくは、（５）式は次の如く設定するのが良い。
０．１５＜ｆ２／ｆ３＜６．００  ・・・（５ａ）
【００２２】
更なる本発明のズームレンズの態様として、１枚以上の凸レンズと２枚以上の凹レンズによって第２レンズ群と第３レンズ群が構成されることを特徴とする。このようなレンズ構成とすることで、第２レンズ群及び第３レンズ群を構成するレンズの屈折力を適切に設定し、ズーム中間の諸収差や望遠端の軸上色収差を良好に補正することが可能となる。
【００２３】
更なる本発明のズームレンズの態様として、第２レンズ群または第３レンズ群に１面以上の非球面を有することを特徴としており、ズーム中間の球面収差と像面湾曲の補正を効果的に達成している。
【００２４】
更なる本発明のズームレンズの態様として、第２レンズ群の最も像側の面の曲率半径をＲ２、第３レンズ群の最も物体側の面の曲率半径をＲ３としたとき、
−２＜（Ｒ２＋Ｒ３）／（Ｒ２−Ｒ３）＜３０  ・・・（６）
を満たしている。（６）式の上限が満たされないと、第２レンズ群の最も像側の面と第３レンズ群の最も物体側の面の曲率半径の差が小さくなり、ズーム中間や望遠端において諸収差を良好に補正することが困難となる。（６）式の下限が満たされないと、第２レンズ群の最も像側の面と第３レンズ群の最も物体側の面の曲率半径の差が大きくなるため、第２レンズ群と第３レンズ群の間隔が製造誤差に対して敏感になる。更に好ましくは、（６）式は次の如く設定するのが良い。
−１＜（Ｒ２＋Ｒ３）／（Ｒ２−Ｒ３）＜２０  ・・・（６ａ）
【００２５】
さらに、本発明の撮像装置は、各実施例のズームレンズとズームレンズによって形成された像を受光する所定の有効撮像範囲を有する固体撮像素子を有することを特徴とする。
【００２６】
以下に本発明のズームレンズの具体的な構成について、実施例１〜６に対応する数値実施例１〜６のレンズ構成の特徴により説明する。
【実施例１】
【００２７】
図１は本発明の実施例１（数値実施例１）であるズームレンズにおいて、広角端で無限遠に合焦しているときのレンズ断面図である。図２において、（ａ）は数値実施例１の広角端、（ｂ）は数値実施例１の焦点距離１４５．５ｍｍ（ｆｗ×Ｚ0.7 ）、（ｃ）は数値実施例１の焦点距離３０４．３ｍｍ（ｆｗ×Ｚ0.9 ）、（ｄ）は数値実施例１の望遠端の縦収差図を示している。いずれの収差図も、無限遠に合焦しているときの縦収差図である。また、焦点距離の値は、後述する数値実施例をｍｍ単位で表したときの値である。これは以下の数値実施例においても、全て同じである。焦点距離１４５．５ｍｍはｆｗ×Ｚ0.7 〜ｆｗ×Ｚ0.9 において第２レンズ群と第３レンズ群の間隔が最大となるズームポジションである。
【００２８】
図１において、物体側から順に、合焦用の正の屈折力の第１レンズ群Ｌ１を有している。さらに、広角端から望遠端への変倍に際して、像側へ移動する変倍用の負の屈折力の第２レンズ群Ｌ２、像側へ移動する負の屈折力の第３レンズ群Ｌ３を有している。さらに、第２レンズ群Ｌ２、第３レンズ群Ｌ３の移動に連動して光軸上を非直線的に移動し、変倍に伴う像面変動を補正する負の屈折力の第４レンズ群Ｌ４を有している。さらに、変倍のためには移動しない結像作用をする第５レンズ群Ｌ５を有している。本実施例では、中群は第４レンズ群Ｌ４に相当する。
【００２９】
本実施例では、第２レンズ群Ｌ２、第３レンズ群Ｌ３、第４レンズ群Ｌ４で変倍系を構成している。ＳＰは開口絞りであり、第４レンズ群Ｌ４と第５レンズ群Ｌ５の間に配置されている。また、開口絞りは変倍に際して光軸方向に不動である。Ｐは本発明のズームレンズが接続される撮像装置内に配置される光学フィルタや色分解光学系に相当するガラスブロックである。Ｉは像面であり、放送用テレビカメラ、ビデオカメラ、デジタルスチルカメラの撮像光学系として使用する際には、ズームレンズで形成された像を受光し、光電変換する固体撮像素子（光電変換素子）等の撮像面に相当している。フィルム用カメラの撮像光学系として使用する際には、ズームレンズで形成された像が感光するフィルム面に相当する。
【００３０】
縦収差図において、球面収差における直線と二点鎖線は各々ｅ線、ｇ線である。非点収差における破線と実線は各々メリディオナル像面、サジタル像面であり、倍率色収差における二点鎖線はｇ線である。ωは半画角、ＦｎｏはＦナンバーである。縦収差図では、球面収差は０．４ｍｍ、非点収差は０．４ｍｍ、歪曲は１０％、倍率色収差は０．０５ｍｍのスケールで描かれている。なお、以下の各実施例において広角端と望遠端は、変倍用の第２レンズ群Ｌ２が機構に対して光軸上を移動可能な範囲の両端に位置したときのズーム位置を指す。
【００３１】
次に、本実施例における第１レンズ群Ｌ１について説明する。第１レンズ群Ｌ１は第１面から第１０面に対応する。第２レンズ群Ｌ２は、第１１面から第１６面、第３レンズ群Ｌ３は、第１７面から第１８面に、第４レンズ群Ｌ４は、第１９面から第２１面に対応している。第５レンズ群Ｌ５は、第２３面から第４２面に対応する。第２レンズ群Ｌ２は、凸レンズと凹レンズを含み全体として３個のレンズ、第３レンズ群Ｌ３は、１個の凹レンズから構成されている。
【００３２】
実施例１に対応する数値実施例１について説明する。数値実施例１に限らず全数値実施例において、ｉは物体側からの面（光学面）の順序を示し、ｒｉは物体側より第ｉ番目の面の曲率半径、ｄｉは物体側より第ｉ番目の面と第ｉ＋１番目の面の間隔（光軸上）を示している。また、ｎｄｉ、νｄｉは、第ｉ番目の面と第ｉ＋１番目の面との間の媒質（光学部材）の屈折率、アッベ数を、ＢＦは空気換算のバックフォーカスを表している。なお、アッベ数νは、フラウンフォーファ線のＦ線（４８６．１ｎｍ）、ｄ線（５８７．６ｎｍ）、Ｃ線（６５６．３ｎｍ）に対する屈折率をそれぞれＮＦ、Ｎｄ、ＮＣとしたとき、
ν＝（Ｎｄ−１）／（ＮＦ−ＮＣ）
で表されるものとする。非球面形状は光軸方向にＸ軸、光軸と垂直方向にＨ軸、光の進行方向を正とし、Ｒを近軸曲率半径、ｋを円錐常数、Ａ４、Ａ６、Ａ８、Ａ１０、Ａ１２、Ａ１４、Ａ１６をそれぞれ非球面係数としたとき、次式で表している。また、「ｅ−Ｚ」は「×１０−Ｚ」を意味する。
【数１】
2018128572.tif 000003
【００３３】
本実施例の各条件式対応値を表１に示す。本実施例は（１）、（２）、（４）〜（６）式を満足しており、第２レンズ群と第３レンズ群の移動軌跡を適切に設定することにより、ズーム全域において諸収差を良好に補正した高い光学性能と小型軽量化を両立したズームレンズを達成している。しかしながら、本発明のズームレンズは、（１）、（２）式を満足することは必須であるが、（３）〜（６）式については満足していなくても構わない。但し、（３）〜（６）式について少なくとも１つでも満足していれば更に良い効果を奏することができる。これは他の実施例についても同様である。
【００３４】
図１４は各実施例のズームレンズを撮影光学系として用いた撮像装置（テレビカメラシステム）の概略図である。図１４において１０１は実施例１〜６のいずれかのズームレンズである。１２４はカメラである。ズームレンズ１０１はカメラ１２４に対して着脱可能となっている。１２５はカメラ１２４にズームレンズ１０１を装着することで構成される撮像装置である。ズームレンズ１０１は第１レンズ群Ｆ、変倍部ＬＺ、結像用の後群Ｒを有している。第１レンズ群Ｆは合焦用レンズ群が含まれている。変倍部ＬＺは変倍のために光軸上を移動する第２レンズ群、第３レンズ群、変倍に伴う像面変動を補正するために光軸上を移動する第４レンズ群が含まれている。ＳＰは開口絞りである。１１４、１１５は各々第１レンズ群Ｆ、変倍部ＬＺを光軸方向に駆動するヘリコイドやカム等の駆動機構である。１１６〜１１８は駆動機構１１４、１１５および開口絞りＳＰを電動駆動するモータ（駆動手段）である。１１９〜１２１は、第１レンズ群Ｆや変倍部ＬＺの光軸上の位置や、開口絞りＳＰの絞り径を検出するためのエンコーダやポテンショメータ、あるいはフォトセンサ等の検出器である。カメラ１２４において、１０９はカメラ１２４内の光学フィルタや色分解光学系に相当するガラスブロック、１１０はズームレンズ１０１によって形成された被写体像を受光するＣＣＤセンサやＣＭＯＳセンサ等の固体撮像素子（光電変換素子）である。また、１１１、１２２はカメラ１２４及びズームレンズ１０１の各種の駆動を制御するＣＰＵである。
【００３５】
このように、本発明のズームレンズをテレビカメラに適用することにより、高い光学性能を有する撮像装置を実現している。
【実施例２】
【００３６】
図３は本発明の実施例２（数値実施例２）であるズームレンズにおいて、広角端で無限遠に合焦しているときのレンズ断面図である。図４において、（ａ）は数値実施例２の広角端、（ｂ）は数値実施例２の焦点距離１４５．５ｍｍ（ｆｗ×Ｚ0.7 ）、（ｃ）は数値実施例２の焦点距離３０４．３ｍｍ（ｆｗ×Ｚ0.9 ）、（ｄ）は数値実施例２の望遠端の縦収差図を示している。いずれの収差図も、無限遠に合焦しているときの縦収差図である。焦点距離３０４．３ｍｍはｆｗ×Ｚ0.7 〜ｆｗ×Ｚ0.9 において第２レンズ群と第３レンズ群の間隔が最大となるズームポジションである。
【００３７】
図３において、物体側から順に、合焦用の正の屈折力の第１レンズ群Ｌ１を有している。さらに、広角端から望遠端への変倍に際して、像側へ移動する変倍用の負の屈折力の第２レンズ群Ｌ２、像側へ移動する負の屈折力の第３レンズ群Ｌ３を有している。さらに、第２レンズ群Ｌ２、第３レンズ群Ｌ３の移動に連動して光軸上を非直線的に移動し、変倍に伴う像面変動を補正する負の屈折力の第４レンズ群Ｌ４を有している。さらに、変倍のためには移動しない結像作用をする第５レンズ群Ｌ５を有している。本実施例では、中群は第４レンズ群Ｌ４に相当する。各レンズ群のレンズ構成は数値実施例１と同じである。
【００３８】
本実施例の各条件式対応値を表１に示す。本実施例は（１）、（２）、（４）〜（６）式を満足しており、第２レンズ群と第３レンズ群の移動軌跡を適切に設定することにより、ズーム全域において諸収差を良好に補正した高い光学性能と小型軽量化を両立したズームレンズを達成している。
【実施例３】
【００３９】
図５は本発明の実施例３（数値実施例３）であるズームレンズにおいて、広角端で無限遠に合焦しているときのレンズ断面図である。図６において、（ａ）は数値実施例３の広角端、（ｂ）は数値実施例３の焦点距離１４５．５ｍｍ（ｆｗ×Ｚ0.7 ）、（ｃ）は数値実施例３の焦点距離３０４．３ｍｍ（ｆｗ×Ｚ0.9 ）、（ｄ）は数値実施例３の望遠端の縦収差図を示している。いずれの収差図も、無限遠に合焦しているときの縦収差図である。焦点距離１４５．５ｍｍはｆｗ×Ｚ0.7 〜ｆｗ×Ｚ0.9 において第２レンズ群と第３レンズ群の間隔が最大となるズームポジションである。
【００４０】
図５において、物体側から順に、合焦用の正の屈折力の第１レンズ群Ｌ１を有している。さらに、広角端から望遠端への変倍に際して、像側へ移動する変倍用の負の屈折力の第２レンズ群Ｌ２、像側へ移動する負の屈折力の第３レンズ群Ｌ３を有している。さらに、第２レンズ群Ｌ２、第３レンズ群Ｌ３の移動に連動して光軸上を非直線的に移動する負の屈折力の第４レンズ群Ｌ４および正の屈折力の第５レンズ群Ｌ５を有している。さらに、変倍のためには移動しない結像作用をする第６レンズ群Ｌ６を有している。本実施例では、中群は第４レンズ群Ｌ４と第５レンズ群Ｌ５に相当する。
【００４１】
次に、本実施例における第１レンズ群Ｌ１について説明する。第１レンズ群Ｌ１は第１面から第１０面に対応する。第２レンズ群Ｌ２は、第１１面から第１６面、第３レンズ群Ｌ３は、第１７面から第１８面に、第４レンズ群Ｌ４は、第１９面から第２１面に対応している。また、第５レンズ群Ｌ５は、第２２面から第２５面、第６レンズ群Ｌ６は、第２７面から第４２面に対応する。第２レンズ群Ｌ２は、凸レンズと凹レンズを含み全体として３個のレンズ、第３レンズ群Ｌ３は、１個の凹レンズから構成されている。
【００４２】
本実施例の各条件式対応値を表１に示す。本実施例は（１）、（２）、（４）〜（６）式を満足しており、第２レンズ群と第３レンズ群の移動軌跡を適切に設定することにより、ズーム全域において諸収差を良好に補正した高い光学性能と小型軽量化を両立したズームレンズを達成している。
【実施例４】
【００４３】
図７は本発明の実施例４（数値実施例４）であるズームレンズにおいて、広角端で無限遠に合焦しているときのレンズ断面図である。図８Ａにおいて、（ａ）は数値実施例４の広角端、（ｂ）は数値実施例４の焦点距離１４５．５ｍｍ（ｆｗ×Ｚ0.7 ）の縦収差図である。（ｃ）は焦点距離２００．５ｍｍ（ｆｗ×Ｚ0.7 〜ｆｗ×Ｚ0.9 で第２レンズ群と第３レンズ群の間隔が最大となるズームポジション）、（ｄ）は焦点距離３０４．３ｍｍ（ｆｗ×Ｚ0.9 ）の縦収差図を示している。図８Ｂにおいて、（ｅ）は数値実施例４の望遠端の縦収差図を示している。いずれの収差図も、無限遠に合焦しているときの縦収差図である。いずれの収差図も、無限遠に合焦しているときの縦収差図である。焦点距離２００．５ｍｍはｆｗ×Ｚ0.7 〜ｆｗ×Ｚ0.9 において第２レンズ群と第３レンズ群の間隔が最大となるズームポジションである。
【００４４】
図７において、物体側から順に、合焦用の正の屈折力の第１レンズ群Ｌ１を有している。さらに、広角端から望遠端への変倍に際して、像側へ移動する変倍用の負の屈折力の第２レンズ群Ｌ２、像側へ移動する負の屈折力の第３レンズ群Ｌ３を有している。さらに、第２レンズ群Ｌ２、第３レンズ群Ｌ３の移動に連動して光軸上を非直線的に移動する負の屈折力の第４レンズ群Ｌ４および正の屈折力の第５レンズ群Ｌ５を有している。さらに、変倍のためには移動しない第６レンズ群Ｌ６、変倍に際して移動する第７レンズ群Ｌ７を有している。本実施例では、中群は第４レンズ群Ｌ４と第５レンズ群Ｌ５に、最終レンズ群は第６レンズ群Ｌ６と第７レンズ群Ｌ７に相当し、また、第７レンズ群Ｌ７が最終レンズ群の一部のレンズ群ＬＲＲに相当する。
【００４５】
次に、本実施例における第１レンズ群Ｌ１について説明する。第１レンズ群Ｌ１は第１面から第１０面に対応する。第２レンズ群Ｌ２は、第１１面から第１２面、第３レンズ群Ｌ３は、第１３面から第１８面に、第４レンズ群Ｌ４は、第１９面から第２１面に対応している。また、第５レンズ群Ｌ５は、第２２面から第２５面、第６レンズ群Ｌ６は、第２７面から第３２面、第７レンズ群Ｌ７は、第３３面から第４２面に対応する。第２レンズ群Ｌ２は、１個の凹レンズ、第３レンズ群Ｌ３は、凸レンズと凹レンズを含み全体として３個のレンズから構成されている。
【００４６】
本実施例の各条件式対応値を表１に示す。本実施例は（１）〜（６）式を満足しており、第２レンズ群と第３レンズ群の移動軌跡を適切に設定することにより、ズーム全域において諸収差を良好に補正した高い光学性能と小型軽量化を両立したズームレンズを達成している。
【実施例５】
【００４７】
図９は本発明の実施例５（数値実施例５）であるズームレンズにおいて、広角端で無限遠に合焦しているときのレンズ断面図である。図１０において、（ａ）は数値実施例５の広角端、（ｂ）は数値実施例５の焦点距離５８．１ｍｍ（ｆｗ×Ｚ0.7 ）、（ｃ）は数値実施例５の焦点距離１０２．４４ｍｍ（ｆｗ×Ｚ0.9 ）、（ｄ）は数値実施例５の望遠端の縦収差図を示している。いずれの収差図も、無限遠に合焦しているときの縦収差図である。焦点距離１０２．４４ｍｍはｆｗ×Ｚ0.7 〜ｆｗ×Ｚ0.9 において第２レンズ群と第３レンズ群の間隔が最大となるズームポジションである。
【００４８】
図９において、物体側から順に、合焦用の正の屈折力の第１レンズ群Ｌ１を有している。さらに、広角端から望遠端への変倍に際して、像側へ移動する変倍用の負の屈折力の第２レンズ群Ｌ２、像側へ移動する負の屈折力の第３レンズ群Ｌ３を有している。さらに、第２レンズ群Ｌ２、第３レンズ群Ｌ３の移動に連動して光軸上を非直線的に移動する負の屈折力の第４レンズ群Ｌ４および正の屈折力の第５レンズ群Ｌ５を有している。さらに、変倍のためには移動しない結像作用をする第６レンズ群Ｌ６を有している。本実施例では、中群は第４レンズ群Ｌ４と第５レンズ群Ｌ５に相当する。
【００４９】
次に、本実施例における第１レンズ群Ｌ１について説明する。第１レンズ群Ｌ１は第１面から第１０面に対応する。第２レンズ群Ｌ２は、第１１面から第１７面、第３レンズ群Ｌ３は、第１８面から第１９面に、第４レンズ群Ｌ４は、第２０面から第２２面に対応している。また、第５レンズ群Ｌ５は、第２３面から第２６面、第６レンズ群Ｌ６は、第２８面から第４０面に対応する。第２レンズ群Ｌ２は、凸レンズと凹レンズを含み全体として４個のレンズ、第３レンズ群Ｌ３は、１個の凹レンズから構成されている。
【００５０】
本実施例の各条件式対応値を表１に示す。本実施例は（１）、（２）、（４）〜（６）式を満足しており、第２レンズ群と第３レンズ群の移動軌跡を適切に設定することにより、ズーム全域において諸収差を良好に補正した高い光学性能と小型軽量化を両立したズームレンズを達成している。
【実施例６】
【００５１】
図１１は本発明の実施例６（数値実施例６）であるズームレンズにおいて、広角端で無限遠に合焦しているときのレンズ断面図である。図１２において、（ａ）は数値実施例６の広角端、（ｂ）は数値実施例６の焦点距離２３３．６１ｍｍ（ｆｗ×Ｚ0.7 ）、（ｃ）は数値実施例６の焦点距離５８６．８ｍｍ（ｆｗ×Ｚ0.9 ）、（ｄ）は数値実施例６の望遠端の縦収差図を示している。いずれの収差図も、無限遠に合焦しているときの縦収差図である。焦点距離２３３．６１ｍｍはｆｗ×Ｚ0.7 〜ｆｗ×Ｚ0.9 において第２レンズ群と第３レンズ群の間隔が最大となるズームポジションである。
【００５２】
図１１において、物体側から順に、合焦用の正の屈折力の第１レンズ群Ｌ１を有している。さらに、広角端から望遠端への変倍に際して、像側へ移動する変倍用の負の屈折力の第２レンズ群Ｌ２、像側へ移動する負の屈折力の第３レンズ群Ｌ３を有している。さらに、第２レンズ群Ｌ２、第３レンズ群Ｌ３の移動に連動して光軸上を移動する正の屈折力の第４レンズ群Ｌ４および正の屈折力の第５レンズ群Ｌ５を有している。さらに、変倍のためには移動しない結像作用をする第６レンズ群Ｌ６を有している。本実施例では、中群は第４レンズ群Ｌ４と第５レンズ群Ｌ５に相当する。
【００５３】
次に、本実施例における第１レンズ群Ｌ１について説明する。第１レンズ群Ｌ１は第１面から第１０面に対応する。第２レンズ群Ｌ２は、第１１面から第１５面、第３レンズ群Ｌ３は、第１６面から第１８面に、第４レンズ群Ｌ４は、第１９面から第２５面に対応している。また、第５レンズ群Ｌ５は、第２６面から第２７面、第６レンズ群Ｌ６は、第２９面から第４９面に対応する。第２レンズ群Ｌ２は、凸レンズと凹レンズを含み全体として３個のレンズ、第３レンズ群Ｌ３は、凸レンズと凹レンズを含み全体として２個のレンズから構成されている。
【００５４】
本実施例の各条件式対応値を表１に示す。本実施例は（１）、（２）、（４）〜（６）式を満足しており、第２レンズ群と第３レンズ群の移動軌跡を適切に設定することにより、ズーム全域において諸収差を良好に補正した高い光学性能と小型軽量化を両立したズームレンズを達成している。
【００５５】
以上、本発明の好ましい実施形態について説明したが、本発明はこれらの実施形態に限定されず、その要旨の範囲内で種々の変形及び変更が可能である。
【００５６】
<数値実施例１>
単位 mm
面データ
面番号i      ri       di     ndi        vdi      有効径
1        824.902    3.00   1.80610    40.9      107.32
2        158.319    1.21                        106.70
3        162.063   14.06   1.43387    95.1      107.26
4       -466.625   10.91                        107.48
5        168.657    9.04   1.43387    95.1      109.12
6        820.944    0.20                        108.84
7        148.539   12.09   1.43387    95.1      107.43
8      -5912.120    0.20                        106.81
9        123.587    6.47   1.43387    95.1      101.03
10        216.650  (可変)                        100.08
11         86.066    1.00   1.85150    40.8       33.55
12         24.362    7.51                         29.40
13        -48.305    0.90   1.81600    46.6       29.22
14         71.499    0.70                         29.21
15         49.278    6.33   1.80810    22.8       29.74
16        -55.053  (可変)                         29.54
17        -37.373    1.10   1.81600    46.6       27.78
18*      -188.072  (可変)                         27.85
19        -54.569    1.30   1.77250    49.6       28.42
20         76.386    3.58   1.84666    23.8       29.97
21      -2973.776  (可変)                         30.58
22(絞り)    ∞       1.00                         38.13
23        161.111    6.57   1.60738    56.8       39.36
24        -69.560    0.15                         39.94
25        324.619    4.43   1.51823    58.9       40.02
26       -111.651    0.35                         39.97
27         51.937    8.26   1.48749    70.2       38.58
28        -74.253    1.50   1.83400    37.2       37.70
29        455.597    0.15                         36.73
30         31.698    7.46   1.48749    70.2       34.97
31        929.268    1.50   1.88300    40.8       33.45
32         31.618   50.00                         30.74
33         73.343    5.68   1.57501    41.5       30.39
34        -56.462    0.20                         30.07
35        194.336    1.20   1.81600    46.6       28.36
36         68.964    3.34   1.51742    52.4       27.53
37       1844.233    0.20                         26.74
38         30.899    6.42   1.49700    81.5       25.03
39        -57.977    1.20   1.88300    40.8       23.21
40         36.665    2.00                         21.52
41         81.340    3.37   1.51823    58.9       21.47
42       -221.688    3.80                         21.16
43          ∞      33.00   1.60859    46.4       31.25
44          ∞      13.20   1.51680    64.2       31.25
45          ∞       8.90                         31.25
像面        ∞   
非球面データ
第18面
K = 6.06641e+001  A 4= 1.21406e-006  A 6= 1.81961e-009  A 8= 1.60180e-012  
各種データ
ズーム比     40.00 
焦点距離      11.00   145.49   304.26   440.00  
Fナンバー      2.10     2.10     2.84     4.10  
半画角        26.57     2.16     1.04     0.72  
像高           5.50     5.50     5.50     5.50  
レンズ全長   389.79   389.79   389.79   389.79  
BF             8.90     8.90     8.90     8.90  
d10            0.48   108.23   118.84   121.91  
d16            3.16     5.70     3.97     3.02  
d18          129.16     3.50     9.46    19.61  
d21           13.52    28.90    14.06     1.79  
入射瞳位置    77.38    984.05   1760.39   2251.60  
射出瞳位置  -689.71   -689.71   -689.71   -689.71  
前側主点位置  88.21   1099.24   1932.13   2414.48  
後側主点位置  -2.10   -136.59   -295.36   -431.10  
ズームレンズ群データ
群  始面    焦点距離  レンズ構成長  前側主点位置  後側主点位置
1    1     161.84        57.18        31.47        -10.81
2   11     -56.13        16.43        -5.67        -21.29
3   17     -57.06         1.10        -0.15         -0.76
4   19     -77.62         4.88        -0.12         -2.78
5   22      69.73       154.97        61.88       -139.90
【００５７】
<数値実施例２>
単位 mm
面データ
面番号i      ri       di     ndi        vdi      有効径
1        793.443    3.00   1.80610    40.9      107.32
2        154.155    1.00                        106.67
3        154.310   14.61   1.43387    95.1      107.25
4       -459.024   10.89                        107.46
5        177.864    8.58   1.43387    95.1      108.92
6        845.646    0.20                        108.66
7        156.955    8.87   1.43387    95.1      107.41
8        601.578    0.20                        106.83
9        133.153    9.97   1.43387    95.1      103.57
10        622.166  (可変)                        102.73
11       1276.681    1.00   1.85150    40.8       30.55
12         21.326    6.59                         26.57
13        -61.603    0.90   1.81600    46.6       26.54
14       2441.976    0.70                         26.92
15         59.038    6.26   1.80810    22.8       27.63
16        -37.640  (可変)                         27.53
17        -32.623    1.10   1.83481    42.7       24.83
18*       264.759  (可変)                         24.75
19        -57.004    1.30   1.69680    55.5       35.20
20        119.202    3.58   1.84666    23.8       37.33
21      -2847.323  (可変)                         37.99
22(絞り)    ∞       1.00                         39.19
23        335.848    5.89   1.60738    56.8       40.16
24        -65.292    0.15                         40.80
25         97.925    6.23   1.51823    58.9       41.44
26       -134.259    0.35                         41.26
27         59.252    8.29   1.48749    70.2       39.76
28        -81.639    1.50   1.83400    37.2       38.70
29        197.726    0.15                         37.59
30         31.205    8.33   1.48749    70.2       36.22
31      -1181.610    1.50   1.88300    40.8       34.72
32         35.138   50.00                         32.11
33         73.266    6.38   1.57501    41.5       31.54
34        -56.068    0.20                         31.12
35         82.153    1.20   1.81600    46.6       28.71
36         31.275    6.06   1.51742    52.4       27.14
37       -164.680    0.20                         26.08
38         80.201    5.97   1.49700    81.5       24.76
39        -30.677    1.20   1.88300    40.8       23.04
40         70.986    2.00                         21.81
41         26.025    3.51   1.51823    58.9       21.45
42         48.262    3.80                         20.73
43          ∞      33.00   1.60859    46.4       31.25
44          ∞      13.20   1.51680    64.2       31.25
45          ∞       8.90                         31.25
像面        ∞   
非球面データ
第18面
K = 3.88016e+001  A 4=-4.96524e-006  A 6=-5.02500e-009  A 8= 2.51247e-013  
各種データ
ズーム比     40.00 
焦点距離      11.00   145.49   304.26   440.00  
Fナンバー      2.10     2.10     2.84     4.10  
半画角        26.57     2.16     1.04     0.72  
像高           5.50     5.50     5.50     5.50  
レンズ全長   395.45   395.45   395.45   395.45  
BF             8.90     8.90     8.90     8.90  
d10            1.12   110.91   121.12   124.11  
d16            2.94     4.19     4.46     4.67  
d18          141.84     6.85     8.45    17.12  
d21            1.80    25.74    13.66     1.79  
入射瞳位置    72.84    991.54   1761.78   2270.22  
射出瞳位置  -624.13   -624.13   -624.13   -624.13  
前側主点位置  83.65   1103.59   1919.80   2404.39  
後側主点位置  -2.10   -136.59   -295.36   -431.10  
ズームレンズ群データ
群  始面    焦点距離  レンズ構成長  前側主点位置  後側主点位置
1    1     161.84        57.32        31.70        -10.69
2   11    -150.00        15.46       -38.96        -68.93
3   17     -34.54         1.10         0.07         -0.53
4   19     -93.88         4.88        -0.17         -2.87
5   22      69.64       160.11        60.79       -145.88
【００５８】
<数値実施例３>
単位 mm
面データ
面番号i      ri       di     ndi        vdi      有効径
1        957.775    3.00   1.80610    40.9      107.32
2        162.368    1.23                        106.79
3        166.431   13.56   1.43387    95.1      107.35
4       -512.273   11.01                        107.58
5        168.959   10.13   1.43387    95.1      109.60
6       1495.081    0.20                        109.31
7        154.612   11.65   1.43387    95.1      107.73
8      38839.726    0.20                        107.04
9        122.556    7.02   1.43387    95.1      101.45
10        225.674  (可変)                        100.41
11         88.441    1.00   1.85150    40.8       34.60
12         24.699    7.72                         30.25
13        -51.946    0.90   1.81600    46.6       30.07
14         72.344    0.70                         30.03
15         49.970    6.54   1.80810    22.8       30.55
16        -55.423  (可変)                         30.34
17        -36.505    1.10   1.81600    46.6       28.36
18*      -195.032  (可変)                         28.46
19        -67.953    1.30   1.77250    49.6       28.54
20         99.252    3.21   1.84666    23.8       29.65
21      -2050.578  (可変)                         30.17
22       -396.308    4.27   1.60738    56.8       38.57
23        -71.051    0.15                         39.22
24        148.116    4.32   1.51823    58.9       39.99
25       -208.979  (可変)                         40.04
26(絞り)    ∞       1.00                         39.64
27         46.637    8.82   1.48749    70.2       39.30
28        -94.064    1.50   1.83400    37.2       38.45
29       -259.814    0.15                         37.92
30         34.514    7.64   1.48749    70.2       35.17
31       -361.353    1.50   1.88300    40.8       33.45
32         30.145   50.00                         30.35
33          ∞       5.14   1.57501    41.5       31.16
34        -45.674    0.20                         31.19
35         68.946    1.20   1.81600    46.6       29.25
36         24.087    7.80   1.51742    52.4       27.55
37        -89.159    0.20                         26.92
38         30.821    5.69   1.49700    81.5       24.72
39       -109.662    1.20   1.88300    40.8       23.04
40         37.479    1.00                         21.45
41         20.136    2.86   1.51633    64.1       21.08
42         23.282    3.80                         20.07
43          ∞      33.00   1.60859    46.4       31.25
44          ∞      13.20   1.51680    64.2       31.25
45          ∞       8.90                         31.25
像面        ∞   
非球面データ
第18面
K = 1.10614e+001  A 4=-1.04495e-007  A 6= 1.49273e-009  A 8=-2.78561e-012  
各種データ
ズーム比     40.00 
焦点距離      11.00   145.49   304.26   440.00  
Fナンバー      2.10     2.10     2.84     4.10  
半画角        26.57     2.16     1.04     0.72  
像高           5.50     5.50     5.50     5.50  
レンズ全長   402.32   402.32   402.32   402.32  
BF             8.90     8.90     8.90     8.90  
d10            0.50   108.67   118.69   121.55  
d16            3.44     7.30     4.50     3.18  
d18          130.73     2.99    14.30    27.41  
d21           18.04    37.57    17.39     1.80  
d25            5.61     1.79     3.44     4.38  
入射瞳位置    78.83   1100.87   2072.39   2756.36  
射出瞳位置  -362.70   -362.70   -362.70   -362.70  
前側主点位置  89.50   1189.40   2127.53   2675.36  
後側主点位置  -2.10   -136.59   -295.36   -431.10  
ズームレンズ群データ
群  始面    焦点距離  レンズ構成長  前側主点位置  後側主点位置
1    1     161.84        58.00        32.10        -10.67
2   11     -60.57        16.86        -6.72        -23.06
3   17     -54.93         1.10        -0.14         -0.75
4   19     -98.10         4.51        -0.16         -2.62
5   22      76.77         8.74         3.57         -2.08
6   26      85.10       145.90        66.14        -65.90
【００５９】
<数値実施例４>
単位 mm
面データ
面番号i      ri       di     ndi        vdi      有効径
1       1048.292    3.00   1.80610    40.9      107.32
2        171.892    1.02                        106.85
3        172.183   13.29   1.43387    95.1      107.37
4       -504.624   10.94                        107.58
5        181.778    9.37   1.43387    95.1      109.13
6       1837.612    0.20                        108.88
7        169.002    9.75   1.43387    95.1      107.44
8       1453.341    0.20                        106.80
9        123.713    8.72   1.43387    95.1      102.32
10        326.920  (可変)                        101.40
11*       142.404    1.00   1.90366    31.3       32.09
12         27.189  (可変)                         28.54
13        -61.256    0.90   1.81600    46.6       27.28
14         43.006    0.70                         26.81
15         38.788    6.78   1.80810    22.8       27.19
16        -40.973    1.46                         26.90
17        -28.420    1.10   1.81600    46.6       26.43
18       -188.867  (可変)                         26.60
19        -66.394    1.30   1.77250    49.6       33.16
20        111.810    3.60   1.84666    23.8       34.73
21       -810.403  (可変)                         35.35
22       -232.668    4.18   1.60738    56.8       39.58
23        -68.053    0.15                         40.35
24        187.852    5.04   1.51823    58.9       41.47
25       -147.895  (可変)                         41.69
26(絞り)    ∞       1.00                         41.61
27         52.470    8.94   1.48749    70.2       41.56
28        -97.136    1.50   1.88300    40.8       40.85
29       -147.088    0.15                         40.56
30         34.301    9.05   1.48749    70.2       36.98
31       -139.386    1.50   1.83400    37.2       35.09
32         31.290  (可変)                         31.45
33         92.165    5.96   1.57501    41.5       29.49
34        -47.014    0.20                         29.13
35         64.136    1.20   1.81600    46.6       26.52
36         34.197    3.93   1.51742    52.4       25.27
37        163.804    0.50                         24.27
38        120.406    5.30   1.49700    81.5       23.81
39        -31.687    1.20   1.88300    40.8       22.38
40         87.657    1.00                         21.44
41         84.754    3.63   1.51823    58.9       21.20
42        -99.458  (可変)                         20.81
43          ∞      33.00   1.60859    46.4       31.25
44          ∞      13.20   1.51680    64.2       31.25
45          ∞       8.90                         31.25
像面        ∞   
非球面データ
第11面
K = 2.34652e+001  A 4= 1.00780e-006  A 6=-2.02900e-009  A 8= 8.13926e-012  
各種データ
ズーム比     40.00 
焦点距離      11.00   145.49   200.50   304.26   440.00  
Fナンバー      2.10     2.10     2.10     2.84     4.10  
半画角        26.56     2.16     1.57     1.04     0.72  
像高           5.50     5.50     5.50     5.50     5.50  
レンズ全長   401.74   401.74   401.74   401.74   401.74  
BF             8.90     8.90     8.90     8.90     8.90  
d10            0.73   109.83   114.97   120.07   123.00  
d12            7.68    10.03    10.33    10.01     9.29  
d18          142.57     3.77     3.37    13.81    29.19  
d21            8.54    33.61    28.92    16.31     1.80  
d25            5.56     7.83     7.49     4.89     1.80  
d32           50.00    49.93    49.92    49.91    49.90  
d42            3.80     3.87     3.88     3.89     3.90  
入射瞳位置    74.92   1063.00   1411.24   2095.45   2868.06  
射出瞳位置  -407.11   -404.60   -404.22   -403.83   -403.59  
前側主点位置  85.63   1157.30   1514.43   2175.41   2838.71  
後側主点位置  -2.10   -136.59   -191.60   -295.36   -431.10  
ズームレンズ群データ
群  始面    焦点距離  レンズ構成長  前側主点位置  後側主点位置
1    1     161.84        56.49        31.09        -10.72
2   11     -37.06         1.00         0.65          0.12
3   13     -64.91        10.94         2.30         -4.36
4   19    -101.08         4.90        -0.34         -3.02
5   22      79.24         9.37         4.11         -1.95
6   26     544.09        22.14      -143.82       -124.71
7   33      70.90        22.93        -1.80        -16.66
8   43       ∞          46.20        14.58        -14.58
【００６０】
<数値実施例５>
単位 mm
面データ
面番号i      ri       di     ndi        vdi      有効径
1       -620.262    2.20   1.85478    24.8       80.08
2        110.247    6.47                         76.66
3        138.334   11.72   1.49700    81.5       76.75
4       -173.747    8.12                         76.38
5        107.380    6.93   1.49700    81.5       70.61
6        751.089    0.15                         69.59
7         90.356    7.54   1.59522    67.7       65.00
8       1878.500    0.15                         63.76
9         55.069    5.21   1.76385    48.5       55.89
10         99.809  (可変)                         54.70
11         57.480    0.90   1.88300    40.8       23.62
12         12.370    5.16                         18.53
13        -57.787    5.77   1.80810    22.8       18.36
14        -11.575    0.80   1.88300    40.8       17.88
15         93.077    0.20                         17.33
16         23.202    2.44   1.59551    39.2       17.30
17        110.151  (可変)                         16.96
18       -269.745    1.10   1.77250    49.6       16.16
19         70.665  (可変)                         15.83
20        -23.861    0.70   1.77250    49.6       18.39
21         45.892    3.30   1.84666    23.8       20.33
22      -1110.861  (可変)                         21.34
23       -127.612    4.07   1.60311    60.6       22.84
24        -28.636    0.15                         24.05
25         54.966    3.56   1.51633    64.1       26.03
26*     25521.363  (可変)                         26.27
27(絞り)    ∞       1.30                         27.93
28        108.437    6.85   1.51742    52.4       28.36
29        -27.766    0.90   1.88300    40.8       28.44
30        -48.681   32.40                         29.10
31         44.751    6.54   1.58913    61.1       26.53
32        -42.387    0.20                         25.84
33        -57.451    1.40   1.83481    42.7       25.05
34         28.110    4.33   1.49700    81.5       23.72
35        140.859    1.50                         23.51
36        160.081    6.44   1.51823    58.9       23.43
37        -19.095    1.40   1.83400    37.2       23.25
38        -51.774    0.20                         23.99
39         56.543    5.16   1.51633    64.1       24.24
40        -51.575    4.00                         24.17
41          ∞      33.00   1.60859    46.4       40.00
42          ∞      13.20   1.51633    64.1       40.00
43          ∞       8.90                         40.00
像面        ∞   
非球面データ
第26面
K =-3.55603e+006  A 4= 4.90701e-007  A 6= 4.39091e-009  A 8=-4.52046e-011  A10= 2.10063e-013  A12=-3.56390e-016  
各種データ
ズーム比     17.00 
焦点距離       8.00    58.13   102.44   136.00  
Fナンバー      1.90     1.96     2.05     2.50  
半画角        34.51     5.40     3.07     2.32  
像高           5.50     5.50     5.50     5.50  
レンズ全長   259.60   259.60   259.60   259.60  
BF             8.90     8.90     8.90     8.90  
d10            0.41    37.60    42.28    43.86  
d17            2.44     2.45     3.27     3.31  
d19           40.97     4.06     3.94     4.51  
d22            1.79     6.37     3.89     1.79  
d26            9.63     4.78     1.86     1.78  
入射瞳位置     47.63      274.51     453.79     573.27  
射出瞳位置  -10976.85  -10976.85  -10976.85  -10976.85  
前側主点位置    55.62     332.33     555.27     707.59  
後側主点位置     0.90     -49.23     -93.54    -127.10  
ズームレンズ群データ
群  始面    焦点距離  レンズ構成長  前側主点位置  後側主点位置
1    1      61.00        48.49        30.71         -0.58
2   11     -15.02        15.26         1.06         -9.88
3   18     -72.04         1.10         0.49         -0.13
4   20     -33.37         4.00        -0.08         -2.26
5   23      38.24         7.78         3.01         -1.98
6   27      51.54       118.82        51.30        -62.98
【００６１】
<数値実施例６>
単位 mm
面データ
面番号i      ri       di     ndi        vdi      有効径
1       1090.019    6.00   1.83400    37.2      190.47
2        263.229    0.99                        188.26
3        262.549   21.88   1.43387    95.1      188.89
4      -2546.320   20.69                        189.17
5        313.034   21.92   1.43387    95.1      194.07
6      -1179.467    0.25                        193.80
7        239.654   19.88   1.43387    95.1      188.43
8       2321.476    0.25                        187.40
9        169.179   15.64   1.43875    94.9      174.63
10        338.870  (可変)                        172.71
11        167.672    2.00   2.00330    28.3       51.47
12         45.036    7.98                         45.20
13       -183.633    2.00   1.88300    40.8       44.72
14         39.574    8.51   1.92286    18.9       41.78
15       -554.774  (可変)                         41.05
16        -54.952    4.00   1.80810    22.8       39.63
17        -40.823    2.00   1.81600    46.6       40.40
18*      2688.085  (可変)                         42.85
19        108.075    8.57   1.60311    60.6       78.51
20*         ∞       0.20                         78.63
21        140.888   12.72   1.49700    81.5       79.70
22       -162.124    0.20                         79.58
23        132.175    2.50   1.85478    24.8       75.83
24         61.079   12.37   1.49700    81.5       71.83
25        498.838  (可変)                         71.34
26*       875.581    6.04   1.59522    67.7       68.68
27       -155.291  (可変)                         68.33
28(絞り)    ∞       1.42                         34.71
29         84.987    1.40   1.81600    46.6       32.95
30         29.740    0.20                         30.90
31         32.169    5.57   1.84666    23.8       30.89
32         73.299    7.00                         29.46
33        -35.690    1.40   1.88300    40.8       28.15
34        221.173    4.00                         28.90
35        -96.973    1.80   1.75500    52.3       29.90
36         65.257    3.44   1.84666    23.8       31.75
37        317.904    3.03                         32.37
38          ∞      16.48   1.62041    60.3       34.29
39        -41.309    6.47                         39.28
40        207.729    7.42   1.48749    70.2       39.96
41        -62.310    0.20                         39.88
42        144.545    1.60   1.88300    40.8       38.03
43         36.283    9.05   1.48749    70.2       36.31
44       -153.846    0.20                         35.93
45         75.778    9.09   1.56732    42.8       34.93
46        -51.249    1.60   1.88300    40.8       33.38
47         60.067    0.20                         32.22
48         46.462    7.59   1.48749    70.2       32.37
49        -51.977   14.00                         32.08
50          ∞      33.00   1.60859    46.4       60.00
51          ∞      13.20   1.51633    64.2       60.00
52          ∞      12.00                         60.00
像面        ∞   
非球面データ
第18面
K =-3.28820e+004  A 4= 2.40636e-008  A 6=-2.71419e-010  A 8= 3.15903e-013  
第20面
K =-2.02027e+013  A 4= 3.75968e-007  A 6= 1.77693e-011  A 8=-2.46630e-015  
第26面
K = 1.07280e+002  A 4=-3.52261e-007  A 6=-4.00314e-012  A 8=-3.41561e-015  
各種データ
ズーム比    100.00 
焦点距離       9.30   233.61   586.79   930.00  
Fナンバー      1.85     1.85     3.09     4.90  
画角          30.60     1.35     0.54     0.34  
像高           5.50     5.50     5.50     5.50  
レンズ全長   621.60   621.60   621.60   621.60  
BF            12.00    12.00    12.00    12.00  
d10            1.07   156.69   166.56   169.75  
d15            6.14     9.05     7.98     7.43  
d18          271.35    66.34    23.99     1.79  
d25            3.10     7.11    10.01     5.08  
d27            2.00    44.47    75.11    99.60  
入射瞳位置    130.02   2149.91   5461.33  10726.41  
射出瞳位置  -1881.51  -1881.51  -1881.51  -1881.51  
前側主点位置  139.27   2354.70   5866.28  11199.64  
後側主点位置    2.70   -221.61   -574.79   -918.00  
ズームレンズ群データ
群  始面    焦点距離  レンズ構成長  前側主点位置  後側主点位置
1    1     238.05       107.51        57.27        -21.69
2   11     -54.61        20.50         1.61        -12.94
3   16     -65.48         6.00         0.08         -3.22
4   19      85.83        36.56         3.47        -20.27
5   26     221.30         6.04         3.22         -0.57
6   28      66.96       149.35        64.68         14.78
【００６２】
表１：数値実施例１〜６の各条件式の値
【表１】
2018128572.tif 000004
【符号の説明】
【００６３】
Ｌ１：第１レンズ群
Ｌ２：第２レンズ群
Ｌ３：第３レンズ群
Ｌ４：第４レンズ群
Ｌ５：第５レンズ群
Ｌ６：第６レンズ群
【図１】
2018128572.tif 000005
【図２】
2018128572.tif 000006
【図３】
2018128572.tif 000007
【図４】
2018128572.tif 000008
【図５】
2018128572.tif 000009
【図６】
2018128572.tif 000010
【図７】
2018128572.tif 000011
【図８Ａ】
2018128572.tif 000012
【図８Ｂ】
2018128572.tif 000013
【図９】
2018128572.tif 000014
【図１０】
2018128572.tif 000015
【図１１】
2018128572.tif 000016
【図１２】
2018128572.tif 000017
【図１３】
2018128572.tif 000018
【図１４】
2018128572.tif 000019